(57)【要約】【課題】同一会員保有の複数枚のカードの持玉情報を簡単に貯玉できる。【解決手段】会員ＩＤ単位で貯玉残高を管理する会員管理ＤＢ１６を備えた管理装置４と、会員カード又は一般カードを識別するカードＩＤ単位で持玉情報を管理する持玉管理ＤＢ２４を備えた持玉管理サーバ５と、一般カードに記録中のカードＩＤを取得すると共に、会員カードに記録中のカードＩＤ及び会員ＩＤを取得するリーダライタ部３２と、カードＩＤを取得すると、カードＩＤに対応した持玉情報を持玉管理サーバ５から取得する持玉情報取得部４４と、順次取得した持玉情報及び、取得した会員ＩＤを現在会員持玉記憶部３６に記憶する記憶制御部４７と、貯玉指示操作を検出すると、現在会員持玉記憶部３６に記憶中の全持玉情報を、現在会員持玉記憶部３６に記憶中の会員ＩＤに対応した会員管理ＤＢ１６に管理中の貯玉残高に加算更新する貯玉処理部５０とを有している。【選択図】図５
2010172390.tif 000002
【特許請求の範囲】
【請求項１】
特定個人を識別する特定個人識別情報単位で貯蓄中遊技媒体数を管理する貯蓄中遊技媒体数管理部と、
前記特定個人識別情報が記録された特定個人記録媒体、又は保有遊技媒体数を特定可能な媒体数情報が記録された一般記録媒体から記録情報を読み取る記録媒体読取部と、
前記記録媒体読取部にて前記特定個人記録媒体から読み取られた前記特定個人識別情報を所定の記憶部に記憶すると共に、前記一般記録媒体から読み取られた前記媒体数情報から特定される前記保有遊技媒体数を累積して前記所定の記憶部に記憶する記憶制御部と、
貯蓄指示操作を検出すると、前記所定の記憶部の記憶内容に前記特定個人識別情報が記憶されていることを条件に、前記所定の記憶部に記憶中の前記保有遊技媒体数を、前記特定個人識別情報に対応した前記貯蓄中遊技媒体数管理部に管理中の前記貯蓄中遊技媒体数に加算更新する貯蓄更新制御部と
を有することを特徴とする遊技媒体貯蓄システム。
【請求項２】
前記記憶制御部は、
前記貯蓄中遊技媒体数管理部に管理中の貯蓄中遊技媒体数に対する加算更新が完了すると、前記所定の記憶部に記憶中の特定個人識別情報及び保有遊技媒体数を消去することを特徴とする請求項１記載の遊技媒体貯蓄システム。
【請求項３】
前記記憶制御部は、
景品交換指示操作を検出すると、前記所定の記憶部に記憶中の保有遊技媒体数から交換対象の景品相当玉数を減算し、その減算結果を現在保有遊技媒体数として記憶更新することを特徴とする請求項１又は２記載の遊技媒体貯蓄システム。
【請求項４】
前記記憶制御部は、
合算指示操作を検出すると、前記所定の記憶部に記憶中の保有遊技媒体数を、これら保有遊技媒体数に関わる媒体識別情報の内、任意の媒体識別情報に対応付けて記憶更新することを特徴とする請求項１〜３の何れか一に記載の遊技媒体貯蓄システム。
【請求項５】
前記任意の媒体識別情報は、
前記特定個人記録媒体の前記媒体識別情報に相当することを特徴とする請求項４記載の遊技媒体貯蓄システム。
【請求項６】
前記特定個人記録媒体にも前記保有遊技媒体数を特定可能な前記媒体数情報が記録され、
前記記憶制御部は、
前記記録媒体読取部にて前記特定個人記録媒体から読み取られた前記媒体数情報から特定される前記保有遊技媒体数と、前記一般記録媒体から読み取られた前記媒体数情報から特定される前記保有遊技媒体数とを累積して前記所定の記憶部に記憶することを特徴とする請求項１〜５の何れか一に記載の遊技媒体数貯蓄システム。
【請求項７】
前記記録媒体読取部は、
前記特定個人保有の携帯電話機から携帯電話機識別情報を読み取り、
前記貯蓄中遊技媒体数管理部は、
前記携帯電話機識別情報を前記特定個人識別情報に対応付けて管理し、
前記貯蓄中遊技媒体数管理部は、
前記携帯電話機識別情報に対応付けて前記保有遊技媒体数を管理する保有遊技媒体数管理部を備え、
前記記憶制御部は、
前記記録媒体読取部にて前記携帯電話機から読み取られた前記携帯電話機の携帯電話機識別情報を前記所定の記憶部に記憶すると共に、前記保有遊技媒体数管理部から前記携帯電話機識別情報に対応付けられた前記保有遊技媒体数を取得して前記所定の記憶部に記憶し、
前記貯蓄更新制御部は、
前記貯蓄更新操作を検出すると、前記所定の記憶部に記憶中の保有遊技媒体数を、前記携帯電話機識別情報に対応付けて前記貯蓄中遊技媒体数管理部にて管理される貯蓄中遊技媒体数に加算更新することを特徴とする請求項１〜６の何れか一に記載の遊技媒体貯蓄システム。
【請求項８】
特定個人を識別する特定個人識別情報単位で貯蓄中遊技媒体数を管理する貯蓄中遊技媒体数管理部に管理する貯蓄中遊技媒体数管理ステップと、
前記特定個人識別情報が記録された特定個人記録媒体、又は保有遊技媒体数を特定可能な媒体数情報が記録された一般記録媒体から記録情報を読み取る記録媒体読取ステップと、
前記記録媒体読取ステップによる前記特定個人記録媒体から読み取られた前記特定個人識別情報を所定の記憶部に記憶すると共に、前記一般記録媒体から読み取られた前記媒体数情報から特定される前記保有遊技媒体数を累積して前記所定の記憶部に記憶する記憶制御ステップと、
貯蓄指示操作を検出すると、前記所定の記憶部の記憶内容に前記特定個人識別情報が記憶されていることを条件に、前記所定の記憶部に記憶中の前記保有遊技媒体数を、前記特定個人識別情報に対応した前記貯蓄中遊技媒体数管理部に管理中の前記貯蓄中遊技媒体数に加算更新する貯蓄更新制御ステップと
を含むことを特徴とする遊技媒体貯蓄方法。
【発明の詳細な説明】
【技術分野】
【０００１】
本発明は、遊技店内の特定個人が保有する保有遊技媒体数を特定個人の貯蓄中遊技媒体数として貯蓄する遊技媒体貯蓄システム及び遊技媒体貯蓄方法に関する。
【背景技術】
【０００２】
従来、本出願人は、遊技店内の会員である遊技客が獲得した遊技媒体、例えば、持玉を景品交換することなく、遊技店内の会員の貯玉口座に貯玉すると共に、会員の貯玉口座から自分の持玉を引き出して再プレイを可能にする貯玉管理装置を提案している（例えば、特許文献１参照）。
【０００３】
特許文献１では、遊技台のプレイ終了時に獲得した持玉総数の範囲内で任意の玉数を、景品交換カウンタ内のオペレータ操作で会員の貯玉口座に貯玉できるようにしたので、遊技客は、オペレータを通じて、持玉総数範囲内で希望に沿う持玉数を会員の貯玉口座に貯玉することができる。
【０００４】
また、近年、遊技店では、島端等に配置される玉計数機での玉計数を不要化する観点から、各遊技台に併設される台間機が玉計数機能を有し、この台間機の玉計数機能で獲得玉数を計数し、その計数結果を持玉として記憶管理し、持玉数範囲内で玉に戻して遊技を行うことができる各台計数システムが知られている（例えば、特許文献２参照）。
【０００５】
特許文献２では、遊技店の会員カードを使用して遊技台のプレイ終了時に、現在のプリペイド残高に関わるプリペイド残高情報や、現在持玉数に関わる持玉情報等を含む会員カードを遊技客に返却するものである。尚、会員カードとは、遊技店に会員登録した遊技客が使用するプリペイド一体型会員カードに相当するものである。
【０００６】
また、特許文献２では、現金や一般カードを使用して遊技台のプレイ終了時に、現在のプリペイド残高を特定するプリペイド残高情報や、現在持玉数を特定する持玉情報等を含む一般カードを遊技客に返却するものである。尚、一般カードとは、遊技店の非会員の遊技客が使用する一般のプリペイドカードに相当するものである。
【０００７】
特許文献２では、遊技台のプレイ終了後、遊技客は、遊技店内の景品交換カウンタに赴き、一般カード又は会員カードをオペレータに渡し、この一般カード又は会員カードの持玉情報に基づき、景品交換や、その持玉を遊技店内の会員の貯玉口座に貯玉することができる。
【０００８】
また、本出願人は、遊技客の個人情報を用いて遊技店に登録された会員と、遊技客の携帯電話機を用いて遊技店に仮登録された仮会員との貯玉情報を管理し、各会員及び各仮会員に対して貯玉情報を利用した再プレイサービスを提供する携帯貯玉システムも提案している（例えば、特許文献３参照）。
【０００９】
特許文献３では、会員カードが発行されていない遊技客であっても、玉計数機の携帯用リーダライタ部に遊技客の携帯電話機をかざし操作することで、携帯電話機内部のＩＣチップの製造番号（以下、単にＩＤｍと称する）に対応付けて遊技客を仮会員登録し、遊技客は遊技店内のカウンタに赴かなくても、その持玉を会員の貯玉口座に貯玉することができる。
【００１０】
【特許文献１】特開平７−５１４５８号公報（要約書及び図１参照）
【特許文献２】特開２００７−２２９１１１号公報（段落番号「００２６」及び図１参照）
【特許文献３】特開２００８−１８８０３１号公報（要約書及び図２参照）
【発明の開示】
【発明が解決しようとする課題】
【００１１】
上記従来の遊技媒体貯蓄システムでは、遊技店内の会員であっても、会員カードだけでなく、紙幣や一般カードを挿入して遊技台でプレイを開始することもあるため、通常、会員であっても、会員カードの他に、複数枚の一般カードを保有する場合がある。
【００１２】
また、従来の遊技媒体貯蓄システムでは、一般カードと会員カードとで別々のリーダライタ部を備え、これら別々のリーダライタ部を使用して各カードの持玉情報を取得し、会員の貯玉口座に持玉情報を貯玉するようにしたが、一般カード用及び会員カード用のリーダライタ部に分別する必要があるため、システム全体のコスト増加に繋がる。
【００１３】
また、会員カード及び一般カードのリーダライタ部を共有化することも考えられるが、同一会員で会員カードの他に一般カードが複数枚に及ぶ場合、会員の貯玉口座を識別する会員ＩＤが会員カードにしか記録されていないため、オペレータ側では、複数枚のカードの内、特に会員カードの読取順序を意識する必要がある。
【００１４】
本発明は上記点に鑑みてなされたものであり、その目的とするところは、コストの大幅削減を図りながら、同一特定個人（会員）保有の一般記録媒体（一般カード）が複数枚に及んだとしても、特定個人記録媒体（会員カード）の読取順序を意識することなく、簡単な操作で同一特定個人（会員）保有の各記録媒体（カード）の保有遊技媒体数（持玉情報）を貯蓄（貯玉）することができる遊技媒体貯蓄システム及び遊技媒体貯蓄方法を提供することにある。
【課題を解決するための手段】
【００１５】
上記目的を達成するために本発明の遊技媒体貯蓄システムは、特定個人を識別する特定個人識別情報単位で貯蓄中遊技媒体数を管理する貯蓄中遊技媒体数管理部と、前記特定個人識別情報が記録された特定個人記録媒体、又は保有遊技媒体数を特定可能な媒体数情報が記録された一般記録媒体から記録情報を読み取る記録媒体読取部と、前記記録媒体読取部にて前記特定個人記録媒体から読み取られた前記特定個人識別情報を所定の記憶部に記憶すると共に、前記一般記録媒体から読み取られた前記媒体数情報から特定される前記保有遊技媒体数を累積して前記所定の記憶部に記憶する記憶制御部と、貯蓄指示操作を検出すると、前記所定の記憶部の記憶内容に前記特定個人識別情報が記憶されていることを条件に、前記所定の記憶部に記憶中の前記保有遊技媒体数を、前記特定個人識別情報に対応した前記貯蓄中遊技媒体数管理部に管理中の前記貯蓄中遊技媒体数に加算更新する貯蓄更新制御部とを有することを要件とする。
【００１６】
本発明の遊技媒体貯蓄システムは、上記発明の構成において、前記記憶制御部は、前記貯蓄中遊技媒体数管理部に管理中の貯蓄中遊技媒体数に対する加算更新が完了すると、前記所定の記憶部に記憶中の特定個人識別情報及び保有遊技媒体数を消去することを要件とする。
【００１７】
本発明の遊技媒体貯蓄システムは、上記発明の構成において、前記記憶制御部は、景品交換指示操作を検出すると、前記所定の記憶部に記憶中の保有遊技媒体数から交換対象の景品相当玉数を減算し、その減算結果を現在保有遊技媒体数として記憶更新することを要件とする。
【００１８】
本発明の遊技媒体貯蓄システムは、上記発明の構成において、前記記憶制御部は、合算指示操作を検出すると、前記所定の記憶部に記憶中の保有遊技媒体数を、これら保有遊技媒体数に関わる媒体識別情報の内、任意の媒体識別情報に対応付けて記憶更新することを要件とする。
【００１９】
本発明の遊技媒体貯蓄システムは、上記発明の構成において、前記任意の媒体識別情報は、前記特定個人記録媒体の前記媒体識別情報に相当することを要件とする。
【００２０】
本発明の遊技媒体貯蓄システムは、上記発明の構成において、前記特定個人記録媒体にも前記保有遊技媒体数を特定可能な前記媒体数情報が記録され、前記記憶制御部は、前記記録媒体読取部にて前記特定個人記録媒体から読み取られた前記媒体数情報から特定される前記保有遊技媒体数と、前記一般記録媒体から読み取られた前記媒体数情報から特定される前記保有遊技媒体数とを累積して前記所定の記憶部に記憶することを要件とする。
【００２１】
本発明の遊技媒体貯蓄システムは、上記発明の構成において、前記記録媒体読取部は、前記特定個人保有の携帯電話機から携帯電話機識別情報を読み取り、前記貯蓄中遊技媒体数管理部は、前記携帯電話機識別情報を前記特定個人識別情報に対応付けて管理し、前記貯蓄中遊技媒体数管理部は、前記携帯電話機識別情報に対応付けて前記保有遊技媒体数を管理する保有遊技媒体数管理部を備え、前記記憶制御部は、前記記録媒体読取部にて前記携帯電話機から読み取られた前記携帯電話機の携帯電話機識別情報を前記所定の記憶部に記憶すると共に、前記保有遊技媒体数管理部から前記携帯電話機識別情報に対応付けられた前記保有遊技媒体数を取得して前記所定の記憶部に記憶し、前記貯蓄更新制御部は、前記貯蓄更新操作を検出すると、前記所定の記憶部に記憶中の保有遊技媒体数を、前記携帯電話機識別情報に対応付けて前記貯蓄中遊技媒体数管理部にて管理される貯蓄中遊技媒体数に加算更新することを要件とする。
【００２２】
本発明の遊技媒体貯蓄方法は、特定個人を識別する特定個人識別情報単位で貯蓄中遊技媒体数を管理する貯蓄中遊技媒体数管理部に管理する貯蓄中遊技媒体数管理ステップと、前記特定個人識別情報が記録された特定個人記録媒体、又は保有遊技媒体数を特定可能な媒体数情報が記録された一般記録媒体から記録情報を読み取る記録媒体読取ステップと、
前記記録媒体読取ステップによる前記特定個人記録媒体から読み取られた前記特定個人識別情報を所定の記憶部に記憶すると共に、前記一般記録媒体から読み取られた前記媒体数情報から特定される前記保有遊技媒体数を累積して前記所定の記憶部に記憶する記憶制御ステップと、貯蓄指示操作を検出すると、前記所定の記憶部の記憶内容に前記特定個人識別情報が記憶されていることを条件に、前記所定の記憶部に記憶中の前記保有遊技媒体数を、前記特定個人識別情報に対応した前記貯蓄中遊技媒体数管理部に管理中の前記貯蓄中遊技媒体数に加算更新する貯蓄更新制御ステップとを含むことを要件とする。
【発明の効果】
【００２３】
上記のように構成された本発明の遊技媒体貯蓄システムでは、特定個人記録媒体及び一般記録媒体の記録情報を読み取る記録媒体読取部を特定個人記憶媒体及び一般記録媒体で共有化することでシステムコストの大幅削減を図りながら、同一特定個人が保有する特定個人記録媒体の他に、一般記録媒体が複数あったとしても、記録媒体の読取順序を意識することなく、一回の処理で、複数の記録媒体の保有遊技媒体数を貯蓄することができるという効果を奏する。
【００２４】
また、本発明の遊技媒体貯蓄システムは、上記発明の効果に加えて、所定の記憶部に記憶中の特定個人識別情報及び保有遊技媒体数を消去するようにしたので、次回の新たな特定個人の保有遊技媒体数及び特定個人識別情報を記憶することができるという効果を奏する。
【００２５】
また、本発明の遊技媒体貯蓄システムは、上記発明の効果に加えて、景品交換操作を検出すると、所定の記憶部に記憶中の保有遊技媒体数から景品交換できると共に、その減算結果である保有遊技媒体数に相当する端数を貯蓄することもできるという効果を奏する。
【００２６】
また、本発明の遊技媒体貯蓄システムは、上記発明の効果に加えて、合算指示操作を検出すると、同一特定個人が保有する複数の記録媒体の保有遊技媒体数を一枚の記録媒体にまとめることができるという効果を奏する。
【００２７】
また、本発明の遊技媒体貯蓄システムでは、上記発明の効果に加えて、任意の媒体識別情報は、特定個人記録媒体の媒体識別情報に相当するので、合算指示操作を検出すると、同一特定個人が保有する複数の記録媒体の保有遊技媒体数を一枚の特定個人記録媒体にまとめることができるという効果を奏する。
【００２８】
また、本発明の遊技媒体貯蓄システムでは、上記発明の効果に加えて、一回の処理で、同一特定個人が保有する一般記録媒体に記録する保有遊技媒体数に特定個人記録媒体に記録する保有遊技媒体数も含めて貯蓄することができるという効果を奏する。
【００２９】
また、本発明の遊技媒体貯蓄システムは、上記発明の効果に加えて、特定個人保有の携帯電話機を使用し、同一特定個人が保有する一般記録媒体が複数あったとしても、記録媒体及び携帯電話機の読取順序を意識することなく、一回の処理で、携帯電話機及び複数の記録媒体の保有遊技媒体数を貯蓄することができるという効果を奏する。
【００３０】
また、本発明の遊技媒体貯蓄方法では、同一特定個人が保有する特定個人記録媒体の他に、一般記録媒体が複数あったとしても、記録媒体の読取順序を意識することなく、一回の処理で、複数の記録媒体の保有遊技媒体数を貯蓄することができるという効果を奏する。
【発明を実施するための最良の形態】
【００３１】
以下、図面に基づき本発明の遊技媒体貯蓄システム及び遊技媒体貯蓄方法に関わる実施例について詳細に説明する。
【００３２】
まず、最初に本実施例の概要を説明するとすれば、その概要は、例えば、遊技店会員が保有する会員カード及び複数枚の一般カードの持玉情報を会員カードの読取順序を意識することなく、景品管理機のオペレータ操作で会員カード及び一般カードの持玉情報を取得し、この取得した持玉情報を会員の貯玉口座に貯玉するものである。
【００３３】
その結果、本実施例では、同一会員が保有する会員カードの他に一般カードが複数枚あったとしても、会員カードの読取順序を意識することなく、一回の処理で、複数枚のカードの全持玉情報を会員の貯玉口座に貯玉することができるというものである。
【実施例】
【００３４】
図１は、本実施例の遊技台管理システム全体の概略構成を示すブロック図である。
【００３５】
図１に示す遊技台管理システム１は、複数の遊技台１１０と、遊技台１１０毎に設け、例えば、入金操作、カードの挿入操作や携帯電話機２のかざし操作に応じて遊技玉を貸し出す玉貸機能や、貯玉残高から持玉を再度貸し出す再プレイ機能を有する玉貸出機１２０と、遊技台１１０及び玉貸出機１２０を配置した遊技島毎の中継機能を司る島コントローラ１３０とを有している。
【００３６】
玉貸出機１２０は、各台計数機能を有し、獲得玉を計数した上で、玉に戻して遊技を行ったり、玉数をカード、例えば、一般カードや会員カードに紐付けして排出するものである。
【００３７】
また、遊技台管理システムは、景品の交換処理や在庫管理を行う景品管理機３と、特殊景品を払い出す景品払出機１４０と、カード(一般カードや会員カード)や携帯電話機２等を使用しての会員登録やオペレータ操作で貯玉登録するカード処理機１５０と、会員カードや一般カード等の現在プリペイド残高を精算するカード精算機１６０と、この遊技台管理システム１全体を管理制御する管理装置４とを有している。
【００３８】
さらに、遊技台管理システムは、会員カードや一般カード等の現在持玉情報を集中管理する持玉管理サーバ５を有している。
【００３９】
また、遊技台管理システム１は、島コントローラ１３０、景品管理機３、カード処理機１５０、カード精算機１６０、管理装置４及び持玉管理サーバ５間をＬＡＮ接続し、これら島コントローラ１３０、景品管理機３、カード処理機１５０、カード精算機１６０、管理装置４及び持玉管理サーバ５間のデータ通信を実現している。
【００４０】
カード処理機１５０は、携帯電話機２を用いた仮会員登録や、登録済み会員及び仮会員による貯玉を行う際に利用される会員用端末装置に相当し、会員カードに記録した会員ＩＤを読み取るカードリーダ部と、携帯電話機２から会員ＩＤ（正確にはＩＤｍ）を読み取る携帯用リーダライタ部とを有している。尚、カードリーダ部は、一般カードに記録した内容も読取可能である。
【００４１】
図２は、管理装置４内部の概略構成を示すブロック図である。
【００４２】
管理装置４は、ＬＡＮと通信接続する管理装置側通信インタフェース１１と、例えば、キーボードやマウス等の入力デバイスに相当し、各種情報を入力する入力部１２と、例えば、液晶パネルやディスプレイ等の表示デバイスに相当し、各種情報を出力する出力部１３と、例えば、ハードディスクや不揮発性メモリ等の記憶デバイスに相当し、各種情報を記憶管理する記憶管理部１４と、管理装置４全体を制御する管理装置側制御部１５とを有している。
【００４３】
記憶管理部１４は、会員申込用紙への記入を通じて一定の個人情報が登録された会員や、携帯電話機２を通じてＩＤｍ及び属性情報のみが登録された仮会員を記憶管理する会員管理データベース（以下、単にＤＢと称する）１６と、会員カードや一般カード等のカードに関わる各種情報を記憶管理するカード管理ＤＢ１７とを有している。
【００４４】
カード管理ＤＢ１７は、カードを識別するカードＩＤ毎に、現在プリペイド残額を管理するプリペイド残高ＤＢ１７Ａと、カードＩＤ毎に、遊技客が獲得した持玉を景品交換することなく、遊技店に預ける玉を示す貯玉数（貯玉残高）を管理する貯玉ＤＢ１７Ｂとを有し、カードＩＤ毎に、現在プリペイド残高及び現在貯玉数を集中管理している。
【００４５】
図３は、実施例の管理装置４内の会員管理ＤＢ１６内部のデータ内容を端的に示す説明図である。
【００４６】
図３に示す会員管理ＤＢ１６は、会員ＩＤ１６Ａ毎に会員種別１６Ｂ、会員の貯玉口座内の貯玉残高１６Ｃ、属性情報１６Ｄ、会員保有の携帯電話機２のＩＤｍ１６Ｅ及び会員識別の暗証番号１６Ｆを記憶したデータベースに相当するものである。尚、属性情報１６Ｄには、電話番号、生年月日やフリーキーワード等が含まれるものである。ここで、会員種別１６Ｂを記憶した理由は、仮会員と本会員とを区別するものである。 
【００４７】
図２に示す管理装置４では、会員管理ＤＢ１６で会員ＩＤ１６Ａ毎に会員種別１６Ｂ、貯玉残高１６Ｃ、属性情報１６Ｄ、ＩＤｍ１６Ｅ及び暗証番号１６Ｆを集中管理している。
【００４８】
管理装置４内の管理装置側制御部１５は、会員管理ＤＢ１６内の貯玉残高１６Ｃを管理する貯玉管理部１５Ａと、携帯電話機２を使用した仮会員登録を要求する仮会員登録処理部１５Ｂと、カード管理ＤＢ１７を管理するカード管理部１５Ｃとを有している。
【００４９】
貯玉管理部１５Ａは、カード処理機１５０又は景品管理機３から貯玉加算指示を受け付けた場合、該当する貯玉口座内の貯玉残高を加算処理し、玉貸出機１２０又は景品管理機３から貯玉減算指示を受け付けた場合、該当する貯玉口座内の貯玉残高を減算処理するものである。 
【００５０】
仮会員登録処理部１５Ｂは、遊技客がカード処理機１５０の携帯用リーダライタ部に対する携帯電話機２のかざし操作を検出すると、この携帯電話機２のＩＣチップ２ＡからＩＤｍを読み取り、別途入力された属性情報及び暗証番号と共に会員管理ＤＢ１６に登録することになる。
【００５１】
カード管理部１５Ｃは、カードＩＤに基づき、カード管理ＤＢ１７内のプリペイド残高ＤＢ１７Ａ及び貯玉ＤＢ１７Ｂを紐付け管理するものである。
【００５２】
また、玉貸出機１２０は、カードのプリペイド残額の問合せや玉貸要求を実行すると共に、プリペイド残額が玉貸可能残額以上の場合に遊技台１１０に対して玉貸出サービスを実行するものである。
【００５３】
また、玉貸出機１２０は、会員の会員カード挿入操作や会員の携帯電話機２のかざし操作に応じて、会員の貯玉残高がある場合、貯玉残高から持玉を引き出す再プレイサービスを実行するものである。
【００５４】
図４は、持玉管理サーバ５内部の概略構成を示すブロック図である。
【００５５】
図４に示す持玉管理サーバ５は、ＬＡＮと通信接続する持玉管理サーバ側通信インタフェース２１と、例えば、キーボードやマウス等の入力デバイスに相当し、各種情報を入力する入力部２２と、液晶パネルやディスプレイ等の表示デバイスに相当し、各種情報を出力する出力部２３と、例えば、ハードディスクや不揮発性メモリ等の記憶デバイスに相当し、会員カード及び一般カードのカードＩＤ毎に、遊技客が獲得した持玉数を持玉情報として管理する持玉管理ＤＢ２４と、持玉管理サーバ５全体を制御するサーバ側制御部２５とを有している。
【００５６】
サーバ側制御部２５は、持玉管理サーバ側通信インタフェース２１を通じてＬＡＮ経由で島コントローラ１３０と通信接続し、島コントローラ１３０を通じて玉貸出機１２０内部の会員カード及び一般カードの持玉情報を所定タイミングで収集するものである。尚、所定タイミングとは、例えば、遊技台１１０のプレイ終了時に玉貸出機１２０から会員カード又は一般カードを返却するタイミング等に相当するものである。
【００５７】
また、サーバ側制御部２５は、島コントローラ１３０を通じて各カードのカードＩＤ単位で持玉情報を収集すると、持玉管理ＤＢ２４内にカードＩＤ２４Ａ単位で持玉情報２４Ｂを記憶するものである。
【００５８】
その結果、持玉管理サーバ５では、玉貸出機１２０から返却した会員カード及び一般カード等の全カードのカードＩＤ２４Ａ単位に持玉情報２４Ｂを集中管理するものである。
【００５９】
図５は、景品管理機３内部の概略構成を示すブロック図である。
【００６０】
図５に示す景品管理機３は、遊技店内の景品交換カウンタに配置し、ＬＡＮと通信接続する通信インタフェース３１と、カード処理機１５０とのインタフェースを司ると共に、このカード処理機１５０を通じて会員カード及び一般カード等の非接触型ＩＣカードからのデータ内容を取得するカードインタフェース３２と、各種情報を表示する表示部３３と、各種コマンドを入力する操作部３４と、暗証番号等を入力するテンキー部３５と、後述する会員持玉整理処理時に、取引会員の持玉情報及び会員ＩＤ等を記憶する現在会員持玉記憶部３６と、景品管理機３全体を制御する制御部３７とを有している。
【００６１】
カードインタフェース３２は、カード処理機１５０に対する一般カード又は会員カードのかざし操作に応じて、一般カード又は会員カードとのデータ通信を実現するものである。
【００６２】
また、カードインタフェース３２は、カード処理機１５０に対する携帯電話機２のかざし操作に応じても携帯電話機２とのデータ通信を実現するものである。
【００６３】
制御部３７は、カードインタフェース３２を通じて一般カード又は会員カードのかざし操作に応じてカードＩＤを取得するカードＩＤ取得部４１と、カードインタフェース３２を通じて会員カードの会員ＩＤを取得する会員ＩＤ取得部４２と、カードインタフェース３２を通じて携帯電話機２のＩＤｍを取得する会員ＩＤｍ取得部４３とを有している。
【００６４】
制御部３７は、カードＩＤ取得部４１にてカードＩＤを取得すると、カードＩＤに対応する持玉情報を取得する持玉情報取得部４４と、会員ＩＤ取得部４２にて会員ＩＤを取得すると、会員ＩＤに対応する会員ＩＤがあるか否かを照合する会員ＩＤ照合部４５とを有している。
【００６５】
持玉情報取得部４４は、カードＩＤに対応する持玉情報を取得すべく、ＬＡＮ経由で持玉管理サーバ５に問合せるものである。尚、持玉管理サーバ５内のサーバ側制御部２５は、持玉管理ＤＢ２４内のカードＩＤ２４Ａに対応する持玉情報２４Ｂを取得し、ＬＡＮ経由で持玉情報２４Ｂを景品管理機３に通知するものである。
【００６６】
会員ＩＤ照合部４５は、会員カードの会員ＩＤが会員管理ＤＢ１６内にあるか否かを照合すべく、ＬＡＮ経由で管理装置４に問合せるものである。尚、管理装置４内の管理装置側制御部１５は、会員ＩＤが会員管理ＤＢ１６内にあるか否かを判定し、その判定結果をＬＡＮ経由で景品管理機３に通知するものである。会員ＩＤ照合部４５は、管理装置４の問合せ結果に基づき、会員カードの会員ＩＤが会員管理ＤＢ１６内にあるか否かを判定するものである。
【００６７】
制御部３７は、テンキー部３５を通じて暗証番号を照合する暗証番号照合部４６と、現在会員持玉記憶部３６を記憶制御する記憶制御部４７と、景品交換処理を実行する景品交換処理部４８と、持玉合算処理を実行する持玉合算処理部４９と、貯玉処理を実行する貯玉処理部５０とを有している。
【００６８】
暗証番号照合部４６は、会員ＩＤ照合部４５にて会員ＩＤが会員管理ＤＢ１６内にある場合、テンキー部３５を通じて暗証番号を取得し、暗証番号が会員管理ＤＢ１６内の会員ＩＤに対応した会員暗証番号に合致したか否かを照合すべく、ＬＡＮ経由で管理装置４に問合せるものである。尚、管理装置４内の管理装置側制御部１５は、暗証番号が会員管理ＤＢ１６内の会員ＩＤに対応した会員暗証番号に合致したか否かを判定し、その判定結果をＬＡＮ経由で景品管理機３に通知するものである。暗証番号照合部４６は、管理装置４の問合せ結果に基づき、暗証番号を照合するものである。
【００６９】
記憶制御部４７は、持玉情報取得部４４を通じて一般カード又は会員カードのカードＩＤに対応した持玉情報を取得すると、この持玉情報をカードＩＤに対応づけて現在会員持玉記憶部３６に記憶するものである。
【００７０】
また、記憶制御部４７は、会員ＩＤ照合部４５及び暗証番号照合部４６の照合結果に基づき、正当な会員と判断した場合、会員ＩＤを現在会員持玉記憶部３６に記憶するものである。
【００７１】
記憶制御部４７は、同一会員の会員カード及び一般カードの各カードＩＤに対応した持玉情報を現在会員持玉記憶部３６に順次記憶すると共に、正当な会員と判断した場合、会員ＩＤを現在会員持玉記憶部３６に記憶するものである。  
【００７２】
景品交換処理部４８は、現在会員持玉記憶部３６に記憶中の持玉情報に基づき、持玉情報範囲内で景品交換を実行するものである。
【００７３】
持玉合算処理部４９は、現在会員持玉記憶部３６に記憶中の持玉情報を合算し、この合算した持玉情報を、持玉管理サーバ５の持玉管理ＤＢ２４内の会員カードのカードＩＤ２４Ａに対応した持玉情報２４Ｂとして更新するものである。
【００７４】
貯玉処理部５０は、現在会員持玉記憶部３６に記憶中の持玉情報を現在会員持玉記憶部３６に記憶中の会員ＩＤに対応した会員管理ＤＢ１６内の貯玉残高１６Ｃに貯玉するものである。
【００７５】
尚、請求項記載の遊技媒体貯蓄システムは景品管理機３、管理装置４及び持玉管理サーバ５、特定個人識別情報は会員ＩＤ１６Ａ、貯蓄中遊技媒体数は貯玉残高１６Ｃ、貯蓄中遊技媒体数管理部は会員管理ＤＢ１６、特定個人記録媒体は会員カード、一般記録媒体は一般カード、記録媒体読取部はカード処理機１５０及びカードインタフェース３２、媒体識別情報はカードＩＤ２４Ａ、保有遊技媒体数は持玉情報２４Ｂ、保有遊技媒体数管理部は持玉管理ＤＢ２４、記憶制御部は記憶制御部４７、景品交換処理部４８、持玉合算処理部４９及びサーバ側制御部２５、所定の記憶部は現在会員持玉記憶部３６、貯蓄更新制御部は貯玉処理部５０及び管理装置側制御部１５、携帯電話機は携帯電話機２、携帯電話機識別情報はＩＤｍに対応するものである。
【００７６】
次に、本実施例の遊技台管理システム１の動作について説明する。図６乃至図１１は、会員持玉整理処理に関わる景品管理機３内部の制御部３７の処理動作を示すフローチャートである。
【００７７】
図６乃至図１１に示す会員持玉整理処理は、同一会員保有の複数枚のカードの持玉情報を景品交換、貯玉若しくは、一枚の会員カードにまとめる合算等のカード整理をする処理である。
【００７８】
図６において景品管理機３の制御部３７は、会員との取引開始に応じて会員持玉整理処理の起動を開始する開始操作を検出したか否かを判定する（ステップＳ１１）。
【００７９】
制御部３７は、開始操作を検出した場合（ステップＳ１１肯定）、カードインタフェース３２を通じて取引会員のカードを検出したか否かを判定する（ステップＳ１２）。尚、カードインタフェース３２は、カード処理機１５０を通じて、オペレータによるカードの読取操作（かざし操作）でカード検出するものである。
【００８０】
制御部３７は、カードを検出した場合（ステップＳ１２肯定）、カードＩＤ取得部４１を通じてカード内のカードＩＤを取得する（ステップＳ１３）。
【００８１】
制御部３７は、カード内のカードＩＤを取得すると、カードＩＤに基づき、同カードは会員カードであるか否かを判定する（ステップＳ１４）。
【００８２】
制御部３７内の持玉情報取得部４４は、同カードは会員カードではない場合（ステップＳ１４否定）、カードＩＤに対応する持玉情報をＬＡＮ経由で持玉管理サーバ５に問合せる（ステップＳ１５）。尚、持玉管理サーバ５内のサーバ側制御部２５は、カードＩＤに対応する持玉情報の問合せを検出すると、カードＩＤ２４Ａに対応した持玉情報２４Ｂを持玉管理ＤＢ２４から検索し、そのカードＩＤ２４Ａに対応した持玉情報２４Ｂを問合せ結果としてＬＡＮ経由で景品管理機３に通知する。
【００８３】
制御部３７内部の記憶制御部４７は、持玉管理サーバ５の問合せ結果に基づき、ＬＡＮ経由でカードＩＤに対応する持玉情報を取得した場合（ステップＳ１６）、カードＩＤに対応する持玉情報を現在会員持玉記憶部３６に記憶し（ステップＳ１７）、現在会員持玉記憶部３６に記憶中の各カードＩＤに対応した持玉情報を交換可能持玉として表示部３３に画面表示し（ステップＳ１８）、更なる、次カードの読取操作（かざし操作）、景品交換指示操作、持玉合算指示操作や貯玉指示操作を案内するガイダンスを表示部３３に表示する（ステップＳ１９）。尚、景品管理機３のオペレータは、ガイダンス表示に基づき、次に指示すべき指示操作内容を認識することができる。
【００８４】
また、制御部３７は、カードが会員カードの場合（ステップＳ１４肯定）、会員ＩＤ取得部４２を通じて会員ＩＤを取得する（ステップＳ２０）。
【００８５】
持玉情報取得部４４は、会員ＩＤを取得すると、カードＩＤ(会員ＩＤ)に対応する持玉情報をＬＡＮ経由で持玉管理サーバ５に問合せる（ステップＳ２１）。
【００８６】
記憶制御部４７は、持玉管理サーバ５の問合せ結果に基づき、ＬＡＮ経由でカードＩＤに対応する持玉情報を取得した場合（ステップＳ２２）、カードＩＤに対応する持玉情報を現在会員持玉記憶部３６に記憶する（ステップＳ２３）。
【００８７】
さらに、制御部３７内部の会員ＩＤ照合部４５は、会員ＩＤが会員管理ＤＢ１６内にあるか否かを照合すべく、ＬＡＮ経由で管理装置４に問合せる（ステップＳ２４）。尚、管理装置４内部の管理装置側制御部１５は、会員ＩＤが会員管理ＤＢ１６内にあるか否かを判定し、その判定結果を問合せ結果として景品管理機３に通知するものである。
【００８８】
会員ＩＤ照合部４５は、問合せ結果に基づき、会員ＩＤが会員管理ＤＢ１６内にあるか否かを判定する（ステップＳ２５）。
【００８９】
制御部３７内の暗証番号照合部４６は、会員ＩＤが会員管理ＤＢ１６内にある場合（ステップＳ２５肯定）、テンキー部３５を通じて暗証番号を検出したか否かを判定する（ステップＳ２６）。
【００９０】
暗証番号照合部４６は、暗証番号を検出した場合（ステップＳ２６肯定）、暗証番号が会員管理ＤＢ１６内の会員ＩＤ１６Ａ対応の暗証番号１６Ｆに合致しているか否かを照合すべく、ＬＡＮ経由で管理装置４に問合せる（ステップＳ２７）。尚、管理装置側制御部１５は、暗証番号が会員管理ＤＢ１６内の会員ＩＤ１６Ａ対応の暗証番号１６Ｆに合致しているか否かを判定し、その判定結果を問合せ結果として景品管理機３に通知するものである。
【００９１】
暗証番号照合部４６は、問合せ結果に基づき、暗証番号が会員管理ＤＢ１６内の会員ＩＤ１６Ａ対応の暗証番号１６Ｆに合致したか否かを判定する（ステップＳ２８）。
【００９２】
記憶制御部４７は、暗証番号が会員管理ＤＢ１６内の会員ＩＤ１６Ａ対応の暗証番号１６Ｆに合致した場合（ステップＳ２８肯定）、会員ＩＤを現在会員持玉記憶部３６に記憶し（ステップＳ２９）、現在会員持玉記憶部３６に記憶中の持玉情報を表示部３３に表示すべく、ステップＳ１８に移行する。
【００９３】
また、制御部３７は、開始操作を検出しなかった場合（ステップＳ１１否定）、図６の処理動作を終了する。
【００９４】
また、制御部３７は、カードインタフェース３２を通じてカード処理機１５０でのカードを検出しなかった場合（ステップＳ１２否定）、カード検出を継続監視すべく、ステップＳ１２に移行する。
【００９５】
また、会員ＩＤ照合部４５は、問合せ結果に基づき、会員ＩＤが会員管理ＤＢ１６内にない場合（ステップＳ２５否定）会員エラーを表示部３３に表示し（ステップＳ３０）、図６に示す処理動作を終了する。
【００９６】
また、暗証番号照合部４６は、暗証番号を検出しなかった場合（ステップＳ２６否定）、暗証番号を検出したか否かを継続監視すべく、ステップＳ２６に移行する。
【００９７】
また、記憶制御部４７は、暗証番号が会員管理ＤＢ１６内の会員ＩＤ１６Ａ対応の暗証番号１６Ｆに合致しなかった場合（ステップＳ２８否定）、暗証番号エラーを表示部３３に表示し（ステップＳ３１）、暗証番号を検出したか否かを判定すべく、ステップＳ２６に移行する。
【００９８】
また、制御部３７は、ステップＳ１９にてガイダンス表示後、次カード読取指示操作（かざし操作）を検出したか否かを判定する（ステップＳ３２）。
【００９９】
制御部３７は、次カード読取指示操作を検出した場合（ステップＳ３２肯定）、図７に示すＭ１に移行する。
【０１００】
また、制御部３７は、次カード読取指示操作を検出しなかった場合（ステップＳ３２否定）、景品交換指示操作を検出したか否かを判定する（ステップＳ３３）。
【０１０１】
制御部３７は、景品交換指示操作を検出しなかった場合（ステップＳ３３否定）、持玉合算指示操作を検出したか否かを判定する（ステップＳ３４）。
【０１０２】
制御部３７は、持玉合算指示操作を検出しなかった場合（ステップＳ３４否定）、貯玉指示操作を検出したか否かを判定する（ステップＳ３５）。制御部３７は、貯玉指示操作を検出した場合（ステップＳ３５肯定）、図８に示すＭ３に移行する。
【０１０３】
また、制御部３７は、景品交換指示操作を検出した場合（ステップＳ３３肯定）、図１１に示すＭ５に移行する。
【０１０４】
また、制御部３７は、持玉合算指示操作を検出した場合（ステップＳ３４肯定）、図９に示すＭ４に移行する。
【０１０５】
また、制御部３７は、貯玉指示操作を検出しなかった場合（ステップＳ３５否定）、次カード読取指示操作（かざし操作）を検出したか否かを判定すべく、ステップＳ３２に移行する。
【０１０６】
図７に示すＭ１において記憶制御部４７は、現在会員持玉記憶部３６内に会員ＩＤが記憶済みであるか否かを判定する（ステップＳ４１）。
【０１０７】
制御部３７は、現在会員持玉記憶部３６内に会員ＩＤが記憶済みの場合（ステップＳ４１肯定）、カードインタフェース３２を通じて、次のカードを検出したか否かを判定する（ステップＳ４２）。
【０１０８】
制御部３７は、次のカードを検出した場合（ステップＳ４２肯定）、カードＩＤ取得部４１を通じてカードＩＤを取得し（ステップＳ４３）、カードＩＤに基づき、カードが会員カードであるか否かを判定する（ステップＳ４４）。
【０１０９】
制御部３７は、カードが会員カードの場合（ステップＳ４４肯定）、二枚目の会員カードと判断し、同会員カードの受付を無効にし、同会員カードの受付エラーを表示部３３に表示し（ステップＳ４５）、再度、ガイダンス表示すべく、図６に示すＭ６に移行する。
【０１１０】
また、制御部３７は、現在会員持玉記憶部３６内に会員ＩＤが記憶済みでない場合（ステップＳ４１否定）、カードインタフェース３２を通じて、次のカードを検出したか否かを判定する（ステップＳ４６）。
【０１１１】
制御部３７は、次のカードを検出した場合（ステップＳ４６肯定）、次のカードのカードＩＤを取得すべく、図６に示すＭ８に移行する。
【０１１２】
また、制御部３７は、次のカードを検出しなかった場合（ステップＳ４６否定）、次のカード検出を継続監視すべく、ステップＳ４６に移行する。
【０１１３】
また、制御部３７は、次のカードを検出しなかった場合（ステップＳ４２否定）、次のカード検出を継続監視すべく、ステップＳ４２に移行する。
【０１１４】
また、制御部３７は、カードＩＤに基づき、カードが会員カードでない場合（ステップＳ４４否定）、カードＩＤに対応する持玉情報を持玉管理サーバ５に問合せるべく、図６に示すＭ７のステップＳ１５に移行する。
【０１１５】
図８に示すＭ３において記憶制御部４７は、図６に示すステップＳ３５の貯玉指示操作を検出した場合、現在会員持玉記憶部３６内に会員ＩＤが記憶済みであるか否かを判定する（ステップＳ６１Ａ）。制御部３７内の貯玉処理部５０は、現在会員持玉記憶部３６内に会員ＩＤが記憶済みの場合(ステップＳ６１Ａ肯定)、現在会員持玉記憶部３６に記憶中の全持玉情報及び会員ＩＤに基づき、同持玉情報を会員管理ＤＢ１６内の会員ＩＤ１６Ａに対応する貯玉残高１６Ｃに貯玉すべく、ＬＡＮ経由で管理装置４に貯玉要求を指示する（ステップＳ６１）。
【０１１６】
尚、管理装置側制御部１５は、貯玉要求に応じて、全持玉情報及び会員ＩＤに基づき、同持玉情報を会員管理ＤＢ１６内の会員ＩＤ１６Ａに対応する貯玉残高１６Ｃに貯玉後、その貯玉完了をＬＡＮ経由で景品管理機３に通知する。さらに、管理装置側制御部１５は、同持玉情報を会員管理ＤＢ１６内の会員ＩＤ１６Ａに対応する貯玉残高１６Ｃに貯玉後、各カードＩＤ２４Ａに対応する持玉情報２４Ｂを消去すべく、持玉管理サーバ５内の持玉管理ＤＢ２４を更新制御するものである。
【０１１７】
記憶制御部４７は、管理装置４からＬＡＮ経由で貯玉完了を受信した場合（ステップＳ６２）、現在会員持玉記憶部３６に記憶中の持玉情報及び会員ＩＤを消去し（ステップＳ６３）、貯玉完了を表示部３３に画面表示し（ステップＳ６４）、図８に示す処理動作を終了する。尚、現在会員持玉記憶部３６に記憶中の持玉情報及び会員ＩＤを消去することで、次の会員の持玉情報及び会員ＩＤが記憶可能になる。
【０１１８】
また、記憶制御部４７は、現在会員持玉記憶部３６内に会員ＩＤが記憶済みでない場合（ステップＳ６１Ａ否定）、図１０に示すＭ２に移行する。
【０１１９】
また、図９に示すＭ４において記憶制御部４７は、図６に示すステップＳ３４の持玉合算指示操作を検出した場合、現在会員持玉記憶部３６内に会員ＩＤが記憶済みであるか否かを判定する（ステップＳ７１Ａ）。制御部３７内の持玉合算処理部４９は、現在管理持玉記憶部３６内に会員ＩＤが記憶済みの場合（ステップＳ７１Ａ肯定）、現在会員持玉記憶部３６に記憶中の全持玉情報及び会員ＩＤに基づき、持玉情報を会員カードのカードＩＤ２４Ａに対応した持玉情報２４Ｂに上書き更新すべく、ＬＡＮ経由で持玉管理サーバ５に持玉合算要求を指示する（ステップＳ７１）。
【０１２０】
尚、サーバ側制御部２５は、持玉合算要求に応じて、現在会員持玉記憶部３６に記憶中の全カードの持玉情報を合算し、その合算した持玉情報を会員カードのカードＩＤに対応した、持玉管理ＤＢ２４内の持玉情報に上書き更新し、持玉合算完了をＬＡＮ経由で景品管理機３に通知するものである。その結果、会員は、複数枚の一般カードを含む全カードの持玉情報を一枚の会員カードにまとめることができる。
【０１２１】
記憶制御部４７は、持玉合算完了を受信した場合（ステップＳ７２）、現在会員持玉記憶部３６に記憶中の持玉情報及び会員ＩＤを消去し（ステップＳ７３）、持玉合算完了画面を表示部３３に画面表示し（ステップＳ７４）、図９に示す処理動作を終了する。
【０１２２】
また、記憶制御部４７は、現在会員持玉記憶部３６内に会員ＩＤが記憶済みでない場合（ステップＳ７１Ａ否定）、図１０に示すＭ２に移行する。
【０１２３】
また、図１０に示すＭ２において制御部３７は、図８に示すステップＳ６１Ａ又は図９に示すステップＳ７１Ａにて現在会員持玉記憶部３６内に会員ＩＤが記憶済みでない場合、会員カードを要求する会員カード要求ガイダンスを表示部３３に表示する（ステップＳ５１）。
【０１２４】
制御部３７は、会員カード要求ガイダンスを表示すると、カードインタフェース３２を通じてカードを検出したか否かを判定する（ステップＳ５２）。
【０１２５】
制御部３７は、カードインタフェース３２を通じてカードを検出した場合（ステップＳ５２肯定）、カードＩＤ取得部４１を通じてカードＩＤを取得し（ステップＳ５３）、カードＩＤに基づき、カードが会員カードであるか否かを判定する（ステップＳ５４）。
【０１２６】
制御部３７は、カードが会員カードの場合（ステップＳ５４肯定）、会員ＩＤを取得すべく、図６に示すＭ９のステップＳ２０に移行する。
【０１２７】
制御部３７は、カードインタフェース３２を通じてカードを検出しなかった場合（ステップＳ５２否定）、カード検出を継続監視すべく、ステップＳ５２に移行する。
【０１２８】
また、制御部３７は、カードＩＤに基づき、カードが会員カードでない場合（ステップＳ５４否定）、今一度、会員カードを要求する会員カード要求ガイダンスを表示すべく、ステップＳ５１に移行する。
【０１２９】
図１１に示すＭ５において制御部３７内の景品交換処理部４８は、図６に示すステップＳ３３にて景品交換指示操作を検出した場合（ステップＳ３３肯定）、交換対象景品を指定すると（ステップＳ８１）、景品相当玉数が現在会員持玉記憶部３６に記憶中の持玉情報以内であるか否かを判定する（ステップＳ８２）。
【０１３０】
記憶制御部４７は、景品相当玉数が現在会員持玉記憶部３６に記憶中の持玉情報以内の場合（ステップＳ８２肯定）、現在会員持玉記憶部３６に記憶中の持玉情報から景品相当玉数を減算更新し（ステップＳ８３）、現在会員持玉記憶部３６に記憶中の持玉情報が所定値未満であるか否かを判定する（ステップＳ８４）。尚、所定値とは、最小の景品価値相当の玉数に相当するものである。
【０１３１】
記憶制御部４７は、現在会員持玉記憶部３６に記憶中の持玉情報が所定値未満の場合（ステップＳ８４肯定）、景品完了表示を表示部３３に画面表示し（ステップＳ８５）、現在会員持玉記憶部３６に記憶中の持玉情報及び会員ＩＤを消去し（ステップＳ８６）、図１１に示す処理動作を終了する。
【０１３２】
制御部３７は、現在会員持玉記憶部３６に記憶中の持玉情報が所定値未満でない場合（ステップＳ８４否定）、景品交換指示操作を検出したか否かを判定する（ステップＳ８７）。
【０１３３】
景品交換処理部４８は、景品交換指示操作を検出した場合（ステップＳ８７肯定）、交換対象景品を指定すべく、ステップＳ８１に移行する。
【０１３４】
また、記憶制御部４７は、景品相当玉数が現在会員持玉記憶部３６に記憶中の持玉情報以内でない場合（ステップＳ８２否定）、再度、交換対象景品を指定すべく、ステップＳ８１に移行する。
【０１３５】
また、制御部３７は、景品交換指示操作を検出しなかった場合（ステップＳ８７否定）、持玉合算指示操作を検出したか否かを判定する（ステップＳ８８）。
【０１３６】
制御部３７は、持玉合算指示操作を検出した場合（ステップＳ８８肯定）、現在会員持玉記憶部３６に記憶中の持玉情報、すなわち景品交換後の持玉端数を合算し、この持玉端数を会員カードのカードＩＤに対応付けて合算更新すべく、図９に示すＭ４に移行する。
【０１３７】
また、制御部３７は、持玉合算指示操作を検出しなかった場合（ステップＳ８８否定）、現在会員持玉記憶部３６に記憶中の持玉情報、すなわち景品交換後の持玉端数の貯玉指示操作を検出したか否かを判定する（ステップＳ８９）。制御部３７は、貯玉指示操作を検出した場合（ステップＳ８９肯定）、景品交換後の持玉端数の貯玉を指示すべく、図８に示すＭ３に移行する。
【０１３８】
また、制御部３７は、貯玉指示操作を検出しなかった場合（ステップＳ８９否定）、景品交換指示操作を検出したか否かを判定すべく、ステップＳ８７に移行する。
【０１３９】
本実施例では、同一会員保有の会員カードの他に、一般カードが複数枚あったとしても、これら複数枚のカードの持玉情報を会員管理ＤＢ１６内の会員カードの会員ＩＤ１６Ａ対応の貯玉残高１６Ｃに加算更新するようにしたので、オペレータは、会員カードの読取順序を意識することなく、同一会員保有の全カードの持玉情報を簡単に貯玉することができる。
【０１４０】
本実施例では、会員カード及び一般カードの情報読取動作を一台のカード処理機１５０でまかなうことで、システム全体のコストを大幅に軽減することができる。
【０１４１】
また、本実施例では、同一会員保有の会員カードの他に、一般カードが複数枚あったとしても、これら複数枚のカードの持玉情報を持玉管理ＤＢ２４内の会員カードのカードＩＤ２４Ａ対応の持玉情報２４Ｂに上書き更新するようにしたので、オペレータは、会員カードの読取順序を意識することなく、同一会員保有の全カードの持玉情報を一枚の会員カードにまとめることができる。
【０１４２】
また、本実施例では、同一会員保有の会員カードの他に、一般カードが複数枚あったとしても、これら複数枚のカードの持玉情報で景品交換した後、景品交換後の持玉端数を会員管理ＤＢ１６内の会員カードの会員ＩＤ１６Ａ対応の貯玉残高１６Ｃに加算更新するようにしたので、オペレータは、景品交換後の持玉端数を同一会員の貯玉口座に貯玉することができる。
【０１４３】
また、本実施例では、同一会員保有の会員カードの他に、一般カードが複数枚あったとしても、これら複数枚のカードの持玉情報を景品交換した後、景品交換後の持玉端数を持玉管理ＤＢ２４内の会員カードのカードＩＤ２４Ａ対応の持玉情報２４Ｂに上書き更新するようにしたので、オペレータは、景品交換後の持玉端数を一枚の会員カードにまとめることができる。
【０１４４】
尚、本実施例では、遊技媒体として、パチンコ遊技台で使用する遊技玉を例に挙げて説明したが、遊技玉に限定されるものではなく、例えば、パチスロ遊技台で使用する遊技メダルであっても、同様の効果が得られることは言うまでもない。
【０１４５】
また、本実施例では、会員カード及び一般カードとして非接触型ＩＣカードを例に挙げて説明したが、例えば、磁気カード等であっても良く、カード処理機１５０を通じて会員カードの会員ＩＤを取得し、同様の効果が得られることは言うまでもない。
【０１４６】
また、本実施例では、カード処理機１５０を通じて会員カードの会員ＩＤを取得し、この会員ＩＤ１６Ａに対応した会員管理ＤＢ１６内の貯玉残高１６Ｃに同会員の持玉情報を加算更新する貯玉機能について説明したが、例えば、カード処理機１５０を通じて携帯電話機２のＩＤｍを取得し、この会員ＩＤｍ１６Ｅの会員ＩＤ１６Ａに対応した会員管理ＤＢ１６内の貯玉残高１６Ｃに同会員の持玉情報を加算更新するようにしても、同様の効果が得られることは言うまでもない。尚、携帯電話機２でなくても、個別識別情報を内蔵した汎用的に使用される定期券等のＩＣカードを使用したとしても、同様の効果が得られることは言うまでもない。
【０１４７】
また、本実施例では、カードＩＤ２４Ａ毎に持玉情報２４Ｂを管理する持玉管理ＤＢ２４を持玉管理サーバ５内に設けるようにしたが、持玉管理ＤＢを管理装置４内部に設けるようにしても良い。
【０１４８】
また、本実施例では、同一会員保有の会員カード及び一般カードの内、２枚目の会員カードの読取操作を検出した場合、２枚目の会員カードのカードＩＤ及び会員ＩＤを無効にし、図７に示すステップＳ４５にて会員カードの受付エラーを表示部３３に表示するようにしたが、読取操作を検出した複数枚の会員カードの内、一枚の会員カードを選択し、この選択した会員カードの会員ＩＤ及び持玉情報を現在会員持玉記憶部３６に記憶するようにしても良い。
【０１４９】
また、本実施例では、一般カード及び会員カード自体に持玉情報を記録することなく、持玉管理ＤＢ２４でカードＩＤ２４Ａに対応付けて持玉情報を管理するようにしたが、例えば、一般カード及び会員カード自体にカードＩＤ及び持玉情報を記録するようにしても同様の効果を得ることができる上、持玉管理サーバ５が不要になってシステムを簡略化することができ、通信負荷の軽減を図ることで処理スピードの大幅向上を図ることができる。尚、この場合、カード処理機１５０を通じてカードからカードＩＤ及び持玉情報を取得した場合、その持玉情報を現在会員持玉記憶部３６に記憶した後、同カードから持玉情報を消去するものである。
【０１５０】
また、本実施例では、同一会員保有の複数枚のカードの持玉情報を持玉管理ＤＢ２４内の会員カードのカードＩＤ２４Ａに対応付けて上書き更新するようにしたが、会員保有の会員カードではなく、持玉管理ＤＢ２４内の一般カードのカードＩＤに対応付けて持玉情報を上書き更新するようにしても良い。
【０１５１】
また、本実施例では、持玉管理ＤＢ２４を持玉管理サーバ５内に設けるようにしたが、持玉管理ＤＢを景品管理機３内部に設けるようにしても良く、この場合、持玉管理サーバ５に対してカードＩＤの持玉情報を問合せる必要もなく、景品管理機３側の持玉管理サーバ５との通信負担を軽減することができる。
【０１５２】
また、本実施例では、会員管理ＤＢ１６を管理装置４内に設けるようにしたが、会員管理ＤＢを景品管理機３内部に設けるようにしても良く、この場合、管理装置４に対してカードＩＤの暗証番号照合や会員ＩＤ照合を問合せる必要もなく、景品管理機３側の管理装置４との通信負担を軽減することができる。
【０１５３】
また、本実施例では、持玉情報取得部４４を通じて一般カード又は会員カードのカードＩＤに対応した持玉情報を取得すると、この持玉情報をカードＩＤに対応づけて現在会員持玉記憶部３６に記憶すると共に、正当な会員と判断した場合、会員ＩＤを現在会員持玉記憶部３６に記憶するようにしたが、持玉情報及び会員ＩＤを単一の現在会員持玉記憶部３６に記憶せず、これら持玉情報及び会員ＩＤを別個の記憶部に記憶するようにしても、同様の効果が得られることは言うまでもない。
【０１５４】
また、本実施例では、持玉合算処理部４９を通じて、現在会員持玉記憶部３６に記憶中の持玉情報を合算し、この合算した持玉情報を、持玉管理サーバ５の持玉管理ＤＢ２４内の会員カードのカードＩＤ２４Ａに対応した持玉情報２４Ｂとして更新するようにしたが、会員カードのカードＩＤ２４Ａに限定されるものではなく、複数の一般カードの内、指定の一般カードのカードＩＤ２４Ａに対応付けて合算した持玉情報を更新登録するようにしても良く、この場合、読み取ったカードの中に会員カードがあるか否かを判定する必要もなくなる。
【０１５５】
以上、本発明の実施例について説明したが、本実施例によって本発明の技術的思想の範囲が限定されるものではなく、特許請求の範囲に記載した技術的思想の範囲を逸脱しない限り、各種様々な実施例が実施可能であることは言うまでもない。また、本実施例に記載した効果は、これに限定されるものではない。
【０１５６】
また、本実施例で説明した各種処理の内、自動的に行われるものとして説明した処理の全部又は一部を手動で行うことも可能であることは勿論のこと、その逆に、手動で行われるものとして説明した処理の全部又は一部を自動で行うことも可能であることは言うまでもない。また、本実施例で説明した処理手順、制御手順、具体的名称、各種データやパラメータを含む情報についても、特記した場合を除き、適宜変更可能であることは言うまでもない。
【０１５７】
また、図示した各装置の各構成要素は機能概念的に記載したものであって、必ずしも物理的に図示のように構成されるものではなく、その各装置の具体的な態様は図示のものに限縮されるものでは到底ないことは言うまでもない。
【０１５８】
さらに、各装置で行われる各種処理機能は、ＣＰＵ（Ｃｅｎｔｒａｌ  Ｐｒｏｃｅｓｓｉｎｇ  Ｕｎｉｔ）（又はＭＰＵ（Ｍｉｃｒｏ  Ｐｒｏｃｅｓｓｉｎｇ  Ｕｎｉｔ）、ＭＣＵ（Ｍｉｃｒｏ  Ｃｏｎｔｒｏｌｌｅｒ  Ｕｎｉｔ）等のマイクロ・コンピュータ）上、又は同ＣＰＵ（又はＭＰＵ、ＭＣＵ等のマイクロ・コンピュータ）で解析実行するプログラム上、又はワイヤードロジックによるハードウェア上で、その全部又は任意の一部を実行するようにしても良いことは言うまでもない。
【産業上の利用可能性】
【０１５９】
本発明の遊技媒体貯蓄システムでは、特定個人記録媒体及び一般記録媒体の記録情報を読み取る記録媒体読取部を特定個人記憶媒体及び一般記録媒体で共有化することでシステムコストの大幅削減を図りながら、同一特定個人が保有する特定個人記録媒体の他に、一般記録媒体が複数あったとしても、記録媒体の読取順序を意識することなく、一回の処理で、複数の記録媒体の保有遊技媒体数を貯蓄することができるため、例えば、遊技店内のパチンコ台等の貯玉システムに有用である。
【図面の簡単な説明】
【０１６０】
【図１】本実施例の遊技台管理システム全体の概略構成を示すブロック図である。
【図２】管理装置内部の概略構成を示すブロック図である。
【図３】管理装置内部の会員管理ＤＢのデータ内容を端的に示す説明図である。
【図４】持玉管理サーバ内部の概略構成を示すブロック図である。
【図５】本実施例の要部である景品管理機内部の概略構成を示すブロック図である。
【図６】会員持玉整理処理に関わる景品管理機内の制御部の処理動作を示すフローチャートである。
【図７】会員持玉整理処理に関わる景品管理機内の制御部の処理動作を示すフローチャートである。
【図８】会員持玉整理処理に関わる景品管理機内の制御部の処理動作を示すフローチャートである。
【図９】会員持玉整理処理に関わる景品管理機内の制御部の処理動作を示すフローチャートである。
【図１０】会員持玉整理処理に関わる景品管理機内の制御部の処理動作を示すフローチャートである。
【図１１】会員持玉整理処理に関わる景品管理機内の制御部の処理動作を示すフローチャートである。
【符号の説明】
【０１６１】
２  携帯電話機
３  景品管理機
４  管理装置
５  持玉管理サーバ
１５  管理装置側制御部
１６  会員管理ＤＢ
２４  持玉管理ＤＢ
２５  サーバ側制御部
３６  現在会員持玉記憶部
４１  カードＩＤ取得部
４２  会員ＩＤ取得部
４３  会員ＩＤｍ取得部
４４  持玉情報取得部
４７  記憶制御部
４８  景品交換処理部
４９  持玉合算処理部
５０  貯玉処理部
【図１】
2010172390.tif 000003
【図２】
2010172390.tif 000004
【図３】
2010172390.tif 000005
【図４】
2010172390.tif 000006
【図５】
2010172390.tif 000007
【図６】
2010172390.tif 000008
【図７】
2010172390.tif 000009
【図８】
2010172390.tif 000010
【図９】
2010172390.tif 000011
【図１０】
2010172390.tif 000012
【図１１】
2010172390.tif 000013